(57)【特許請求の範囲】
【請求項１】
被処理水の汲上用ポンプと、この汲上用ポンプにより汲み上げられた被処理水を貯溜する被処理水用貯溜タンクと、オゾンを発生させるオゾン発生装置と、上記被処理水用貯溜タンク内の被処理水を導いて所定の磁気力を作用させる磁気処理部および磁気処理部からの被処理水に上記オゾン発生装置で得られたオゾンを注入して攪拌させるオゾン注入混合部からなる第１磁気処理反応器と、この第１磁気処理反応器からの被処理水中の凝集物質を除去する第１濾過器と、この第１濾過器から出た被処理水を導いて所定の磁気力を作用させる磁気処理部および磁気処理部からの被処理水に上記オゾン発生装置で得られたオゾンを注入して攪拌させるオゾン注入混合部からなる第２磁気処理反応器と、この第２磁気処理反応器から出た被処理水を導いて活性炭からなる触媒層により酸化・分解を行わせる反応槽と、この反応槽から出た被処理水中の凝集物質を除去する第２濾過器と、この第２濾過器から出た処理水を貯溜する処理水用貯溜タンクと、この処理水用貯溜タンク内の処理水を導き、逆浸透膜または限外濾過膜を通過させて飲料水を得る濾過ユニットとを、車体に積載したことを特徴とする造水用車両。
【請求項２】
濾過ユニットから得られた飲料水を導き、車両エンジンの排気ガスの熱により加熱して温水を得る熱交換器を車体に積載したことを特徴とする請求項１に記載の造水用車両。
【発明の詳細な説明】
【０００１】
【発明の属する技術分野】
本発明は、海水または河川水などの濁水に水処理を施し、飲料水を得ることができる造水用車両に関するものである。
【０００２】
【従来の技術】
従来、河川水などの濁水を飲料水にするための濾過装置としては、種々、製造されているが、殆どの濾過装置は据付方式のものである。
【０００３】
【発明が解決しようとする課題】
ところで、災害が発生した際には、飲料水の供給が重大事項となるが、従来の濾過装置を、災害発生地に運搬するのが困難な場合があり、したがって災害発生時に、その発生場所に移動して、河川水または海水から、迅速に飲料水を供給し得る装置が望まれている。なお、可搬式の濾過装置は存在するが、災害が大きい場合には、多量の飲料水の供給を行うことができないという問題があった。
【０００４】
そこで、本発明は、災害などの緊急時に、現地に赴き、かつ迅速に飲料水を供給し得る造水用車両を提供することを目的とする。
【０００５】
【課題を解決するための手段】
上記課題を解決するために、本発明の造水用車両は、被処理水の汲上用ポンプと、この汲上用ポンプにより汲み上げられた被処理水を貯溜する被処理水用貯溜タンクと、オゾンを発生させるオゾン発生装置と、上記被処理水用貯溜タンク内の被処理水を導いて所定の磁気力を作用させる磁気処理部および磁気処理部からの被処理水に上記オゾン発生装置で得られたオゾンを注入して攪拌させるオゾン注入混合部からなる第１磁気処理反応器と、この第１磁気処理反応器からの被処理水中の凝集物質を除去する第１濾過器と、この第１濾過器から出た被処理水を導いて所定の磁気力を作用させる磁気処理部および磁気処理部からの被処理水に上記オゾン発生装置で得られたオゾンを注入して攪拌させるオゾン注入混合部からなる第２磁気処理反応器と、この第２磁気処理反応器から出た被処理水を導いて活性炭からなる触媒層により酸化・分解を行わせる反応槽と、この反応槽から出た被処理水中の凝集物質を除去する第２濾過器と、この第２濾過器から出た処理水を貯溜する処理水用貯溜タンクと、この処理水用貯溜タンク内の処理水を導き、逆浸透膜または限外濾過膜を通過させて飲料水を得る濾過ユニットとを、車体に積載したものであり、
また上記構成において、濾過ユニットから得られた飲料水を導き、車両エンジンの排気ガスの熱により加熱して温水を得る熱交換器を車体に積載したものである。
【０００６】
この構成によると、車体上に、被処理水の汲上用ポンプと、被処理水用貯溜タンクと、オゾン発生装置と、磁気処理部およびオゾン注入混合部からなる第１および第２磁気処理反応器と、これら各磁気処理反応器から出た被処理水中の凝集物質などを除去する第１および第２濾過器並びに活性炭からなる触媒層により酸化・分解を行わせる反応槽と、これらの処理により凝集物質が除去された処理水を貯溜する処理水用貯溜タンクと、この処理水を導いて逆浸透膜または限外濾過膜を通過させて飲料水を得る濾過ユニットとを積載したので、例えば緊急災害時には、被災地に赴き、迅速に、海水または河川水から、飲料水を迅速に供給することができる。
【０００７】
また、車体に、飲料水を排気ガスにより加熱する熱交換器を積載することにより、温水を簡単に得ることができ、例えば被災地においては、シャワー、風呂などに利用することができる。
【０００８】
【発明の実施の形態】
以下、本発明の実施の形態における造水用車両を、図１〜図５に基づき説明する。
【０００９】
この造水用車両は、図１および図２に示すように、例えば普通４トントラック１の車体２の後部に設けられた荷台３に、水処理ユニット（造水ユニットともいう）４を積載（搭載）したものであり、所定場所に赴き、河川水、雨水などの濁水または海水などの被処理水に、水処理を施し、飲料水を得るものである。
【００１０】
以下、荷台３に積載される水処理ユニット４を、図１〜図３に基づき説明する。
この水処理ユニット４は、主に、可搬式の被処理水の汲上用ポンプ１１と、この汲上用ポンプ１１により汲み上げられた被処理水を可撓管（例えばホース）３１を介して導き貯溜する被処理水用貯溜タンク１２と、オゾンを発生させるオゾン発生装置１３と、上記被処理水用貯溜タンク１２内の被処理水を第１配管３２を介して導き所定の磁気力を作用させる磁気処理部１４およびこの磁気処理部１４からの被処理水に上記オゾン発生装置１３で得られたオゾンを第１オゾン供給配管４１を介して導き注入して攪拌させるオゾン注入混合部１５からなる第１磁気処理反応器１６と、この第１磁気処理反応器１６からの被処理水を第２配管３３を介して導き被処理水中の凝集物質を除去する第１濾過器１７と、この第１濾過器１７からの被処理水を第３配管３４を介して導き所定の磁気力を作用させる磁気処理部１８およびこの磁気処理部１８からの被処理水に上記オゾン発生装置１３で得られたオゾンを第２オゾン供給配管４２を介して導き注入して攪拌させるオゾン注入混合部１９からなる第２磁気処理反応器２０と、この第２磁気処理反応器２０から出た被処理水を第４配管３５を介して導き活性炭からなる触媒層により酸化・分解を行わせる反応槽２１と、この反応槽２１から出た被処理水を第５配管３６を介して導き被処理水中の凝集物質を除去する第２濾過器２２と、この第２濾過器２２から出た凝集物質が除去されたほぼ主な処理が行われた処理水を第６配管３７を介して導き貯溜する処理水用貯溜タンク２３と、この処理水用貯溜タンク２３内の処理水を第７配管３８を介して導き濾過を行い飲料水を得る濾過ユニット２４と、この濾過ユニット２４で得られた飲料水を外部に供給する第１飲料水供給配管３９と、この第１飲料水供給配管３９の途中に接続された第２飲料水供給配管４０と、この第２飲料水供給配管４０の途中に設けられるとともに第１飲料水供給配管３９からの飲料水および車両のエンジン（図示せず）からの排気ガスを導き、排気ガスの熱により飲料水を温めて温水を得る熱交換器２５とから構成されている。
【００１１】
上記第７配管３８には、処理水供給ポンプ５１、保安フィルタ５２およびピストン式の高圧ポンプ５３が介装されており、また濾過ユニット２４には、濾過されなかった非濾過液を取り出す液取出配管５４が接続されている。なお、上記保安フィルタ５２は、高圧ポンプ５３を保護するためのもので、数μｍ程度（例えば、６μｍ）以下の微小粒子だけを通過させるためのものである。
【００１２】
また、上記第１配管３２の途中には、第１電磁切換弁６１および被処理水供給ポンプ６２が介装され、第２配管３３および第３配管３４同士間には逆洗切換用の第１電動ボール弁６３が介装され、第５配管３６および第６配管３７同士間には逆洗切換用の第２電動ボール弁６４が介装されている。
【００１３】
なお、第１電磁切換弁６１と処理水用貯溜タンク２３との間には、処理水用貯溜タンク２３内の処理水を、各配管３２〜３７および各電動ボール弁６３，６４を介して、各濾過器１７，２２および反応槽２１に逆洗用として供給するためのバイパス配管６５が設けられている。勿論、必要に応じて、その他の機器、例えば保安用フィルタ５２にも、逆洗用の処理水が供給される。
【００１４】
また、第２濾過器２２の底部には、ドレン配管６６が接続されるとともに、上記各電動ボール弁６３，６４と上記ドレン配管６６とが、それぞれ接続配管６７，６８を介して接続されている。
【００１５】
なお、上述した配管以外の配管３９，４０，４１，４２、５４にも、電磁開閉弁７１〜７５が介装されている。
さらに、上記各濾過器１７，２２および反応槽２１に溜まるオゾンを分解するためのオゾン分解器２６も水処理ユニット４側に設けられている。
【００１６】
ところで、図４に示すように、上記各磁気処理反応器１６，２０は、上述したように、磁気処理部１４，１８と、この磁気処理部１４，１８に一体的に連設されたオゾン注入混合部１５，１９とから構成されている。
【００１７】
以下、これらの磁気処理部１４，１８およびオゾン注入混合部１５，１９を、少し詳しく説明するが、本来、両磁気処理反応器１６，２０は、同一の構成であるため、第１磁気処理反応器１６側について説明する。
【００１８】
磁気処理部１４は、所定径でかつ所定長さの筒状体（例えば、ＰＶＣ管により構成されている）１０１の内部に、その内壁面１０１ａに対して所定の隙間（環状通路、例えば被処理水の流量により決定される）１０２を有するような外径にされかつ筒状体１０１よりも少し短くされた棒状磁石体１０３が挿入されることにより構成されている。
【００１９】
そして、この棒状磁石体１０３は、円柱状の小磁石１０４が複数個直列に並べられて構成されており、この小磁石１０４は、Ｓ極とＮ極とが互いに対向するように配列される。この小磁石１０４としては永久磁石が使用される。
【００２０】
また、上記オゾン注入混合部１５は、磁気処理部１４の筒状体１０１のフランジ部１０１ｂに接続される混合用筒状体１１１と、この混合用筒状体１１１の上流側からＬ字形状に挿入されたオゾン注入管（オゾン吸引管）１１２と、混合用筒状体１１１内のかつオゾン注入管１１２の周囲に設けられた攪拌混合用の羽根体１１３と、この羽根体１１３よりさらに下流側の混合用筒状体１１１内に複数個配置された攪拌混合用の突起体１１４とから構成されている。
【００２１】
さらに、このオゾン注入混合部１５における羽根体１１３および突起体１１４を、図５に基づき詳細に説明する。
すなわち、羽根体１１３は、一対の半円状の羽根板１２１Ａ，１２１Ｂにより構成されるとともに、これら両羽根板１２１Ａ，１２１Ｂは被処理水の流れ方向に対して所定角度（例えば、好ましくは３０度〜４５度）でもって傾斜するようにかつ互いに逆方向に捻るようにして配置され、さらにこれら両羽根板１２１Ａ，１２１Ｂの交差部の前方空間部を左右に仕切る仕切板１２２が設けられたものである。
【００２２】
また、上記複数個設けられた各突起体１１４は、混合用筒状体１１１の内壁面に固定される円柱部（柱状部）１３１と、この円柱部１３１の先端に形成されるきのこ状部１３２とから構成されるとともに、複数個の各突起体１１４が、混合用筒状体１１１の内壁面に千鳥状に配置されたものであり、またその配置範囲は、羽根板１２１Ａ，１２１Ｂによって捻られたねじりピッチＰの１．５倍以上の範囲とされる。なお、図示した羽根板１２１Ａ，１２１Ｂのねじれ範囲は、Ｐ／２である。
【００２３】
なお、オゾン発生装置１３からのオゾンの注入は、混合用筒状体１１１内を流れる水のエジェクタ効果により、混合用筒状体１１１内に吸引されることにより行われる。
【００２４】
また、磁石の磁気力（磁束密度）としては、例えば１０００ガウス（使用可能範囲としては、１０００〜１００００ガウス）のものが使用され、この磁気力のもとで、被処理水の流速が約１．５ｍ／ｓとされる。例えば、被処理水の流量に対する磁気力で表せば、１０００ガウス／m３・hとなる。
【００２５】
また、上記各濾過器１７，２２は体積型のものが使用され、数ミクロン程度以上の粒子を捕捉できるものであり、例えば濾材としては、長繊維球形体を充填したものが使用されるが、例えば砂なども使用される。
【００２６】
さらに、上記濾過ユニット２４としては、基本的には、２種類用意されている。すなわち、被処理水が海水である場合には、逆浸透膜（例えば、ポリアミド系複合膜が使用される）を組み込まれた逆浸透膜ユニット（ＲＯユニット）が使用され、被処理水が淡水である場合には、限外濾過膜（例えば、酢酸セルロース薄膜が使用される）が組み込まれた限外濾過ユニット（ＵＦユニット）が使用される。勿論、被処理水が変われば、その性状に応じて、例えば逆浸透膜、限外濾過膜以外の適正な濾過膜が使用される。
【００２７】
また、上記各機器の全て、すなわち水処理ユニット４は、１個の支持フレーム５上に取り付けられるとともに、水処理ユニット４側と車体２側の排気ガスの配管とは、カップリング（図示せず）を介して接続されており、したがって水処理ユニット４の積載、または所定場所に、簡単に荷降ろしを行うことができる。また、支持フレーム５には、発電機６および上記各機器を制御する制御装置７なども設けられている。さらに、各機器は、必要に応じて一体化、すなわちユニット化およびコンパクト化されており、部品の交換および保守・点検などを簡単に行い得るようにされている。例えば、被処理水用貯溜タンク１２と処理水用貯溜タンク２３とが、タンクユニット８として一体的に構成されている。
【００２８】
ところで、上記濾過ユニット２４、反応槽２１、オゾン分解器２６には、それぞれ薄膜式ヒータが巻き付けられた後、断熱材で覆われている。濾過ユニット２４および反応槽２１については、寒冷地における膜の保護のため、オゾン分解器２６については、オゾンの分解能力の維持を図るためである。
【００２９】
次に、上記水処理ユニット４を積載した造水用車両により、海水から飲料水を得る手順について説明する。
なお、海水には、微生物、細菌、有機物、または鉄・マンガンなどの溶解性無機物が含まれており、またこれらには、色、臭気などもある。
【００３０】
汲上用ポンプ１１により汲み上げられた海水は、一旦、被処理水用貯溜タンク１２に貯溜され、そして第１配管３２を介して第１磁気処理反応器１６に供給される。
【００３１】
この第１磁気処理反応器１６では、まず磁気処理部１４にて、磁束密度が１０００〜１００００ガウスの磁気力が作用させられ、引き続き、オゾン注入混合部１５の混合用筒状体１１１内に入り、そしてここでオゾン発生装置１３から第１オゾン供給配管４１を介して供給されるオゾンが、オゾン注入管１１２のエジェクタ効果により、注入（吸引）されて混合が行われる。
【００３２】
この第１磁気処理反応器１６で、磁気作用およびオゾンの酸化作用並びに羽根体１１３と突起体１１４との攪拌混合作用により、海水に含まれる被酸化物、例えば鉄・マンガンなどの無機酸化物がコロイド状物質として析出し、また海水中の水棲動植物が死滅したものが懸濁物質となり、しかもこれらコロイド状物質および懸濁物質（以下、単に懸濁物質等と称す）は、磁気の作用により凝集して、例えば数ミクロン〜数十ミクロン程度の大きさになる。
【００３３】
このように、磁気力を作用させることにより凝集が行われるのは、水に溶けている荷電粒子にローレンツ力が働き、磁気流体力学効果が生じ、この効果により、荷電粒子間で結晶化・凝集が促進されるからであると考えられる。
【００３４】
すなわち、一般に、コロイド粒子は、水の中で粒子表面が「負」に帯電し、相互の反発力によって安定した分散状態を保っているが、磁場の中に水を通すと、イオン分極して電場が生じ、粒子表面電荷の中和作用により、粒子間の引力（ファンデル・ワース引力）が働き、粒子同士の接近が容易になり、凝集が生じる。
【００３５】
そして、上記第１磁気処理反応器１６で酸化・凝集作用が行われた被処理水は、第２配管３３を介して第１濾過器１７に入り、ここで数ミクロン〜数十ミクロンに凝集された懸濁物質等が除去される。
【００３６】
このように、懸濁物質等を除去するのは、次の工程におけるオゾンの使用効率を上げるためである。すなわち、水中に懸濁物質等が存在すると、これがオゾンを消費し、オゾンが水中の有機物質などの酸化に、有効に作用しなくなるのを防止するためである。
【００３７】
次に、上記第１磁気処理反応器１６のオゾン注入混合部１５における作用について、詳しく説明する。勿論、第２磁気処理反応器２０での作用も同様である。一般に、被処理水にオゾンをいかに有効に接触させるかが、オゾンの有効利用の上で重要となる。特に、反応成分の濃度が希薄の場合には、拡散律速になるため、強力な攪拌混合が必要となるが、この強力な攪拌混合がオゾン注入混合部にて行われる。
【００３８】
すなわち、磁気処理された被処理水は、混合用筒状体１１１内に設けられた仕切板１２２により左右に分割整流され、仕切板１２２の後方部の羽根板１２１Ａ，１２１Ｂにより、強い捻りと、大きい加速力とが与えられて螺旋流となる。
【００３９】
この螺旋流により、混合用筒状体１１１内には、同心円構造の多層状旋回流が形成され、また流路の横断面積と変流部の最小開口断面積との面積比により、流れの軸心部に円筒状の低圧部ａができ、したがって先端部が軸心ｂに挿入配置されたオゾン注入管１１２より、オゾンが自然に吸引される。
【００４０】
この吸引されたオゾンは、負圧部分から離脱して、多層状旋回流に合流する。この多層状旋回流においては、流れの構成物質の密度、粘性などの違いにより相対速度を生じて乱流渦が発生し、この作用により、被処理水の一次混合が強力に行われる。
【００４１】
そして、この後、この多層状旋回流は突起体１１４が設けられた攪拌混合部に流入して、その円柱部１３１では流れが切断された状態となり、またきのこ状部１３２では、流れが筒状体１１１の半径方向で分断される。
【００４２】
また、この突起体１１４は、羽根体１２１Ａ，１２１Ｂによる流れの捻りピッチＰの１ピッチ以上（例えば、１．５Ｐ）の範囲に亘って千鳥状に配置されており、上記の分断による攪拌混合がより効果的に行われる。
【００４３】
具体的に説明すると、被処理水がこのきのこ状部１３２に衝突すると、その衝突した前面にキャビテーションが発生し、そしてその後面側においては、負圧の後流が形成され、さらにきのこ状部１３２の半球状の頭部においては、境界層の剥離が発生する。
【００４４】
このため、大量の乱流渦が充満した状態となり、流れの構成物が互いに相手のうちに微粒子として混入し、重質流体は外側へ、また軽質流体は内側へと激しく衝突し、各流層を突き抜けることになる。
【００４５】
なお、突起体１１４の円柱部１３１に衝突した流れには、約０．５〜３ミクロンの超微細な気泡が流れの中に発生し、この超微細気泡を含んだ旋回流は、さらに次の突起体１１４に衝突して、流れの中の気泡密度が高まる。また、この旋回流は超音波（例えば４０ｋＨｚ以上）も発生する。
【００４６】
このような激しい分断衝突作用により、羽根体１１３による一次高速反応に続いて、突起体１１４による二次高速反応が行われる。
ところで、上記第１濾過器１７から出た海水は、さらに第３配管３４を介して第２磁気処理反応器２０に供給され、ここで、第２オゾン供給配管４２を介して注入されるオゾンにより、再度、混合・酸化が行われる。勿論、磁気作用も受けている。そして、この第２磁気処理反応器２０においても、第１磁気処理反応器１６と同様の攪拌混合作用が発揮される。
【００４７】
この第２磁気処理反応器２０では、第１磁気処理反応器１６で反応しきれなかった主として有機物質、特に難分解有機物質（ＣＯＤ物質）がオゾンにより酸化される。ここでは、大部分の有機物質が酸化作用を受けるが、難分解有機物質（高分子物質）については、化合物における鎖が切れるなどの変化（低分子化）を受けるだけで、有機物質（ＣＯＤ物質）として水中に存在する場合もある。
【００４８】
次に、この第２磁気処理反応器２０から出た海水は、第４配管３５を介して、触媒として粒状活性炭が充填された反応槽２１に導かれ、海水中の余剰オゾンの分解が行われるとともに、難分解有機物質がオゾンにより酸化されて低分子化した有機物質が、活性炭と高濃度溶存酸素（ＤＯ）により酸化されて分解される。
【００４９】
なお、第１磁気処理反応器１６および第２磁気処理反応器２０におけるオゾンの注入により、海水中の酸素濃度は飽和に達しており、ＰＳＡ法（プレッシャー・スイング・アブソーバ法）によるオゾン発生装置では、溶存酸素が例えば５０〜６０ＰＰＭ程度にも達する。
【００５０】
このように、微生物、細菌、有機物質、溶解性無機物質などが除去されて浄化された海水は、処理水用貯溜タンク２３に貯溜される。
そして、この処理水用貯溜タンク２３に貯溜された処理済みの海水、すなわち処理水は、第６配管３７途中に設けられた高圧ポンプ５３により、濾過ユニット２４に供給され、ここで、逆浸透膜により塩分が除去されて、淡水すなわち飲料水（生産水）が得られる。
【００５１】
この濾過ユニット２４で得られた飲料水は、第１飲料水供給配管３９より、外部に取り出される。また、温水が必要な場合は、第２電磁開閉弁７２を操作して飲料水を熱交換器２５に供給すれば、排気ガスの熱により、所定温度に温められて、温水が得られる。
【００５２】
なお、濾過ユニット２４で濾過膜を通過しなかった濃度の濃い海水、すなわち濃塩水が液取出配管５４より取り出すことができる。
ここで、上記水処理ユニット４にて得られた飲料水における水質検査の主要項目の結果を、下記［表１］に示しておく。
【００５３】
【表１】
0004412794.tif 000002
この［表１］から分かるように、飲料水として不適合であった原料である海水が、磁気処理、イオン注入混合処理、濾過器による濾過処理（これらの処理が施されたものが処理水である）、および逆浸透膜などの濾過ユニットを通過すると、全ての項目で、飲料水としての基準値を満足した飲料水となること分かる。
【００５４】
なお、第１濾過器１７の逆洗は、第１電磁切換弁６１および第１電動ボール弁６３を切り換えて、第２貯溜タンク２３内の処理水を、各配管３２，３３，３４を介して供給することにより行われ、また第２濾過器２１の逆洗は、第１電磁切換弁６１および第２電動ボール弁６４を切り換えて、第２貯溜タンク２３内の処理水を、各配管３２，３３，３４，３５，３６，３７を介して供給することにより行われる。なお、逆洗した水は、それぞれ接続配管６７，６８を介して、ドレン配管６６から排出される。また、反応槽２１についても、第２電動ボール弁６４を切り換えて、処理水を逆向きに流すことにより逆洗が行われる。
【００５５】
ところで、上述した水処理ユニット４においては、塩素などの薬液は一切使用していないため、この液取出配管５４より取り出される濃塩水については、環境汚染の心配も無く、したがって食品調味液、食品鮮度保持剤、または路面凍結剤など、様々の利用を図ることができる。
【００５６】
上記実施の形態においては、海水から飲料水を得る場合について説明したが、勿論、河川水、雨水などの濁水から飲料水を得ることもできる。この場合、淡水の処理に適した限外濾過膜が使用される。
【００５７】
このように、トラック１における車体２の荷台３上に、被処理水の汲上用ポンプ１１と、この汲上用ポンプ１１により汲み上げられた被処理水を貯溜する被処理水用貯溜タンク１２と、オゾンを発生させるオゾン発生装置１３と、被処理水を導いて所定の磁気力を作用させる磁気処理部１４およびこの磁気処理部１４に一体的に連設されて被処理水にオゾンを注入して攪拌させるオゾン注入混合部１５とから構成されるとともに被処理水中の被酸化物を、主として無機物を酸化・凝集させる第１磁気処理反応器１６と，この第１磁気処理反応器１６から出た被処理水中の凝集物質を除去する第１濾過器１７と、この第１濾過器１７から出た被処理水を導いて所定の磁気力を作用させる磁気処理部１８およびこの磁気処理部１８に一体的に連設されて被処理水にオゾンを注入して攪拌させるオゾン注入混合部１９とから構成されるとともに残存する被酸化物、主として残存する有機物を酸化・凝集させる第２磁気処理反応器２０と、この第２磁気処理反応器２０から出た被処理水を導いて活性炭からなる触媒層により水中の余剰オゾンの分解を行うとともにさらに残存する有機物質を酸化により分解させる反応槽２１と、この反応槽２１から出た被処理水中の凝集物質を除去する第２濾過器２２と、これらの処理により凝集物質が除去された処理水を貯溜する処理水用貯溜タンク２３と、この処理水を導き、逆浸透膜または限外濾過膜を通過させて飲料水を得る濾過ユニット２４とを積載したので、例えば緊急災害時には、被災地に赴き、迅速に、海水または河川水から、飲料水を迅速に供給することができる。また、その水処理に際して、塩素などの薬液を使用しないので、飲料水として最適なものを得ることができる。
【００５８】
さらに、荷台３に、飲料水を排気ガスにより加熱する熱交換器２５を設けたので、温水を簡単に得ることができ、例えば被災地においては、シャワー、風呂などに利用することができる。
【００５９】
【発明の効果】
以上のように本発明の構成によると、車体上に、被処理水の汲上用ポンプと、被処理水用貯溜タンクと、オゾン発生装置と、磁気処理部およびオゾン注入混合部からなる第１および第２磁気処理反応器と、これら各磁気処理反応器から出た被処理水中の凝集物質などを除去する第１および第２濾過器並びに活性炭からなる触媒層により酸化・分解を行わせる反応槽と、これらの処理により凝集物質が除去された処理水を貯溜する処理水用貯溜タンクと、この処理水を導いて逆浸透膜または限外濾過膜を通過させて飲料水を得る濾過ユニットとを積載したので、例えば緊急災害時には、被災地に赴き、迅速に、海水または河川水から、飲料水を迅速に供給することができる。
【００６０】
また、車体に、飲料水を排気ガスにより加熱する熱交換器を積載することにより、温水を簡単に得ることができ、例えば被災地においては、シャワー、風呂などに利用することができる。
【図面の簡単な説明】
【図１】本発明の実施の形態における造水用車両の側面図である。
【図２】同造水用車両の平面図である。
【図３】同造水用車両に積載された水処理ユニットの構成を示すフロー図である。
【図４】同水処理ユニットの磁気処理反応器の構成を示す断面図である。
【図５】同磁気処理反応器のオゾン注入混合部の構成を示す断面図である。
【符号の説明】
１      トラック
２      車体
３      荷台
４      水処理ユニット
５      支持フレーム
１１      汲上用ポンプ
１２      被処理水用貯溜タンク
１３      オゾン発生装置
１４      磁気処理部
１５      オゾン注入混合部
１６      第１磁気処理反応器
１７      第１濾過器
１８      磁気処理部
１９      オゾン注入混合部
２０      第２磁気処理反応器
２１      反応槽
２２      第２濾過器
２３      処理水用貯溜タンク
２４      濾過ユニット
２５      熱交換器
【図１】
0004412794.tif 000003
【図２】
0004412794.tif 000004
【図３】
0004412794.tif 000005
【図４】
0004412794.tif 000006
【図５】
0004412794.tif 000007